(57)【特許請求の範囲】
【請求項１】
キーボードと記憶手段とを備えた情報機器において、自情報機器に付与された製造番号を記憶しておく製造番号記憶手段と、キーボードから入力された製造番号を上記製造番号記憶手段に設定する製造番号設定手段と、キーボードから入力された検査データおよび上記製造番号記憶手段に記憶された製造番号を取得して、検査項目に対する検査結果を示す製造番号付き検査データ表を作成する表作成手段と、を備えたことを特徴とする情報機器。
【発明の詳細な説明】
【０００１】
【発明の属する技術分野】
本発明は、記録媒体への記録および記録媒体からの再生を行うＣＤ- Ｒ駆動装置、ハードディスク装置、プリンタなどのように、ホストインタフェース部および記憶手段を備えた情報機器の改良に関し、特に出荷時にパーソナルコンピュータ等を用いて行う検査結果表作成作業を容易化することができる情報機器に関する。
【０００２】
【従来の技術】
ＣＤ-R駆動装置などの情報機器では、組立が終了した後、出荷検査を行い、検査データとそれぞれの情報機器の製造番号（シリアル番号，ドライブ番号）とが記載された検査データ表を作成する。このような検査データ表の作成作業はパーソナルコンピュータ等によって行われるが、製造番号を入力する作業は、個々の情報機器に貼り付けられたシールなどに記載された製造番号を見た上で、その番号をキー入力することによって行われる。
即ち、情報機器を工場に於て製造する場合、ある程度の組立が完了した時点で個々の機器に、製造番号を記載したシールを連続番号で貼り付けておき、製造番号を予め付与された状態にある機器を検査工程に導入することになる。従って、検査工程に於て、不良品であることが認定された場合には、当該機器は出荷されないので、出荷される機器の製造番号は不連続番号となる。
製造番号が不連続であると、製品の管理手続が複雑化する等の不具合が発生することから、製造工程では個々の製品に仮の番号を付与（番号を付したシールを貼る）しておく一方で、検査をパスした機器に対してのみ連続番号からなる製造番号を付与するシステムも行われる。
いずれの場合に於ても、検査をパスした機器の製造番号は機器の適所に貼られたシールに記載される。
上記の様にＣＤ-R駆動装置などの情報機器の製造工場では、機器の組立が終了した後に出荷検査を行い、検査データとそれぞれの情報機器の製造番号（シリアル番号，ドライブ番号）とが記載された検査データ表をパーソナルコンピュータ等を用いて作成するが、製造番号については、検査データ表作成時に貼られたシールに記載された番号をオペレータが見てキー入力することによりインプットされるので、そのための手間がかかり効率的でなく、また時々読取りミス、入力ミス等が発生することもあった。
【０００３】
【発明が解決しようとする課題】
従来技術では、検査データ表作成時、上記のように製造番号を、機器に貼られたシールなどから読み取って写し取るので、そのための手間がかかり、ミスも発生し易かった。
本発明の課題は、上記のような従来技術の問題を解決し、製造番号を作業者が読み取った上で写し取るという煩雑、かつミスが発生しやすい作業を行うことなく、製造番号記載の検査データ表を作成できる情報機器を提供することにある。
【０００４】
【課題を解決するための手段】
上記の課題を解決するために、請求項１記載の発明では、キーボードと記憶手段とを備えた情報機器において、自情報機器に付与された製造番号を記憶しておく製造番号記憶手段と、キーボードから入力された製造番号を上記製造番号記憶手段に設定する製造番号設定手段と、キーボードから入力された検査データおよび上記製造番号記憶手段に記憶された製造番号を取得して、検査項目に対する検査結果を示す製造番号付き検査データ表を作成する表作成手段と、を備えたことを特徴とする。
【０００５】
【作用】
上記のような手段にしたので、請求項１記載の発明では、予め設定した自情報機器の製造番号が記載された自らの検査データ表を作成できる。
【０００６】
【発明の実施の形態】
以下、図面により本発明の実施の形態を情報機器がＣＤ- Ｒ駆動装置の場合について詳細に説明する。
図１は本発明の第１の形態例のＣＤ- Ｒ駆動装置の構成ブロック図である。図示したように、この形態例のＣＤ- Ｒ駆動装置（情報機器）は、装置全体を制御する制御部１，ホストコンピュータとの間でデータ送受信を行うＳＣＳＩインタフェース部２，各種制御データなどを記憶しておく書き込み可能な不揮発性メモリ（例えばフラッシュメモリ＝記憶手段）３，上記不揮発性メモリ内に設けられた製造番号記憶部（製造番号記憶手段）４，記録媒体ＣＤ- Ｒを駆動する駆動機構部５、上記駆動機構部５を駆動し、ＣＤ- Ｒへ情報を記録したり、ＣＤ- Ｒから情報を読み出したりする記録再生制御部６などを備えている。なお、不揮発性メモリ３に各種プログラムをダウンロードした後に、製造番号を格納する場合には製造番号記憶部４に対して製造番号を入力する為の製造番号設定手段７を設ける。
上記において、制御部１はＣＰＵ，プログラムを内蔵したＲＯＭ，ＲＡＭなどを備える。また、駆動機構部５は記録再生光を発するレーザ光源，セットされているディスク（ＣＤ- Ｒ）を回転させるスピンドルモータ，記録再生光をＣＤ- Ｒの最内周トラックから最外周トラックに亘って移動させるギヤモータ，目標トラックへの微細な位置付けを行うトラッキングモータ，記録再生光のフォーカスを記録再生面に合わせるフォーカストラッキングモータなどを備える。
【０００７】
このような構成で、この形態例では、検査データ表作成に先立ち、例えばキーボード等の製造番号設定手段などから製造番号を製造番号記憶部４に設定しておくか、或は機器内に組み込まれたプリント基板上の不揮発性メモリ３内に各種プログラムデータをダウンロードする際に製造番号も同時に格納する。
製造番号記憶部４内に格納した製造番号についてのデータは、インタフェース２を介して接続されたホストコンピュータからのコマンド（製造番号リクエストコマンド）によって取り出されて（制御部１が送信して）ホストコンピュータ側へ取り込まれる。なお、ホストコンピュータ側へ製造番号を送信する格別の手段として、製造番号送信手段を設けてもよい。
なお、上記製造番号は、先行する工程検査をパスし、出荷検査をパスしたときにパスした順に当該製品（ＣＤ- Ｒ駆動装置）に与えられるシリアル番号であり、このような製造番号が与えられたとき、上記シリアル番号（製造番号）を記載した予め用意されたシールを当該製品に貼り付ける。
【０００８】
図２に、検査データ表の例を示す。このような検査データ表がホストコンピュータ（例えばパーソナルコンピュータ）において作成される。図示したような各検査項目に対する検査結果（図２の表の右欄）がホストコンピュータのキーボードから入力されるか、または専用のインタフェースなどを介して計測器などから自動的に入力され、ホストコンピュータ内の処理プログラムによって検査データ表内に記入されるわけである。
上記のような検査データ表を作成する際、ホストコンピュータは検査データ表の製造番号欄に記載する製造番号を、それに接続されているＣＤ- Ｒ駆動装置から取得する。そのため、図３の動作フローに示すように、ＣＤ- Ｒ駆動装置の制御部１は、常時ホストコンピュータからコマンドが送られてくるのを監視している（Ｓ１〜Ｓ１）。そして、ホストコンピュータからのコマンドをＳＣＳＩインタフェース部２を介して受信すると（Ｓ１でＹｅｓ）、制御部１はそのコマンドが製造番号の転送を要求する製造番号リクエストコマンドか否かを判定する（Ｓ２）。
この判定結果が製造番号リクエストコマンドということであれば（Ｓ２でＹｅｓ）、制御部１は記憶されている製造番号を製造番号記憶部４から読み出し、ＳＣＳＩインタフェース部２を介して、それをホストコンピュータへ転送する（Ｓ３）。また、製造番号リクエストコマンドでなければ（Ｓ２でＮｏ）、この動作フローから抜け、コマンドに対応した動作を実行する。
このようにして、この形態例によれば、ホストコンピュータにおける検査データ表作成時、表示されたメッセージなどに応じて単に所定のキーを押すだけで検査データ表の製造番号欄に当該製造番号が記載されるので、検査データ表作成作業が極めて容易になる。なお、ＣＤ- Ｒ駆動装置は元々ＳＣＳＩインタフェース部（ホストインタフェース部）２および不揮発性メモリ３を備えているので、上記作用・効果を実現するのにコストアップは生じない。
【０００９】
図４は、第２の形態例を示す動作フロー図である。この形態例のＣＤ- Ｒ駆動装置では、以下のようにして、ホストコンピュータから送られてきた製造番号を製造番号記憶部４内に設定することができる。
図４において、ステップＳ11〜Ｓ13は第１の形態例（図３参照）のステップＳ１〜Ｓ３と同じである。
ステップＳ12において、ホストコンピュータから受け取ったコマンドが製造番号リクエストコマンドでなければ（Ｓ12でＮｏ）、制御部１は製造番号設定コマンドか否かを判定する（Ｓ14）。そして、製造番号設定コマンドであれば（Ｓ14でＹｅｓ）、制御部１は製造番号設定コマンドと共にホストコンピュータから受け取ったデータ（製造番号）を製造番号記憶部４に設定する（Ｓ15）。また、製造番号設定コマンドでなければ（Ｓ14でＮｏ）、この動作フローから抜け、コマンドに対応した動作を実行する。
こうして、この形態例によれば、ＣＤ- Ｒ駆動装置への製造番号設定をホストコンピュータから行えるので、ＣＤ- 駆動装置にテンキーなどを備える必要がない。
【００１０】
以上、本発明をＣＤ- Ｒ駆動装置の場合で説明したが、本発明の適用は上記ＣＤ- Ｒ駆動装置のみに限定されるものではなく、ハードディスク装置，プリンタなどのように、ホストインタフェース部および記憶手段を持った情報機器や、パーソナルコンピュータ，ワードプロセッサなどにも実施することが可能である。なお、パーソナルコンピュータやワードプロセッサなどの情報機器の場合は、ホストインタフェース部は不要であり、自らが有する機能により検査データ表を作成し、その記憶手段に設定した自らの製造番号を取得して自らの検査データ表を完成させる。パーソナルコンピュータやワードプロセッサなどのように自ら検査データ表作成機能（表作成手段８）を備えた情報機器にあっては、表作成手段８を用いて自らの製造番号を入力して記憶させることができるので、ＣＤ- Ｒ駆動装置等の場合とは異なった扱いが可能になるのである。
【００１１】
なお、本発明においては情報機器と接続されたホストコンピュータ或は情報機器自体によって、当該情報機器の検査データ表を作成する際に、情報機器の記憶部に予め格納された当該情報機器の製造番号を取り出すことにより、各検査データ表中に製造番号を付与することができるようにしているが、この製造番号の付与は、検査が完了した良品についてのみ連続番号として付与してもよいし、検査完了前の段階で不良品となる可能性のある機器についても通し番号を付与する様にしてもよい。後者の場合には、検査をパスした良品の製造番号は不連続となる不具合がある。従って、後者の場合には、検査完了前の全機器について仮の番号を付与しておき、検査にパスした機器についてのみ正規の製造番号を付与する様にするようにしてもよい。
【００１２】
【発明の効果】
以上説明したように、本発明によれば、請求項１記載の発明では、パーソナルコンピュータやワードプロセッサなどのように自ら検査データ表を作成する機能を有した情報機器において、予め設定した自情報機器の製造番号が記載された自らの検査データ表を作成できるので、当該製造番号が記載された検査データ表を容易に作成することができるし、情報機器が元々備えている手段を利用しているので、実現のためにコストアップになることもない。
【図面の簡単な説明】
【図１】本発明の第１の形態例を示すＣＤ- Ｒ駆動装置の構成ブロック図である。
【図２】本発明の第１の形態例を示すＣＤ- Ｒ駆動装置の機能を説明する説明図である。
【図３】本発明の第１の形態例を示すＣＤ- Ｒ駆動装置の動作フロー図である。
【図４】本発明の第２の形態例を示すＣＤ- Ｒ駆動装置の動作フロー図である。
【符号の説明】
１  制御部、２  ＳＣＳＩインタフェース部、３  不揮発性メモリ、４  製造番号記憶部
【図１】
0003822314.tif 000002
【図２】
0003822314.tif 000003
【図３】
0003822314.tif 000004
【図４】
0003822314.tif 000005